(57)【要約】　　　（修正有）【課題】ビルや家屋等の壁面、塀の壁面、マンション屋上やベランダの柵、その他の構築物の壁面など上下方向の空間を草木の植栽によって多段状に緑化し、植物の温度の上昇を緩和する効果により、都市環境の改善をすることのできる壁面植栽緑化装置に関する。【解決手段】格子状又は金網状の基枠１に緑化用棚２を多段状に配設し、前記緑化用棚の上には、防水緑化容器３を載置固定し、当該防水緑化容器内には、土壌又は土壌代替物と、肥料、木炭、土壌改良材などの緑化基材４を収納するとともに、当該防水緑化容器内に収納されている緑化基材の中間部には、格子状又は金網状の中仕切体を埋め込んでおき、当該緑化基材には、草および／または木を植栽して、基枠に添って縦方向に多段状に緑化するようにしたことを特徴とする壁面植栽緑化装置である。【選択図】　図１
0003096906.tif 000002
【実用新案登録請求の範囲】
【請求項１】
格子状又は金網状の基枠に緑化用棚を多段状に配設し、前記緑化用棚の上には、防水緑化容器を載置固定し、当該防水緑化容器内には、土壌又は土壌代替物と、肥料、木炭、土壌改良材などの緑化基材を収納するとともに、当該防水緑化容器内に収納されている緑化基材の中間部には、格子状又は金網状の中仕切体を埋め込んでおき、当該緑化基材には、草および／または木を植栽して、基枠に添って縦方向に多段状に緑化するようにしたことを特徴とする壁面植栽緑化装置。
【請求項２】
前記防水緑化容器内に収納されている緑化基材に植栽する草木は、その根部を中仕切体上に載置したうえ、必要に応じて当該中仕切体に係止された草木固定具により当該草木を固定するようにしたことを特徴とする請求項１に記載する壁面植栽緑化装置。
【請求項３】
前記防水緑化容器を、容器自体に防水効果がある物を用いるか又は防水緑化容器を防水効果のないバスケット体と、これに対応する防水シート容器との組合せで構成し、バスケット体内に防水シート容器を積重ねるようにしたことを特徴とする請求項１に記載する壁面植栽緑化装置。
【請求項４】
格子状又は金網状の基枠と、
当該基枠に係止できるようにした複数個の緑化用棚と、
前記緑化用棚を固定できるようにする緑化用棚係止部を有するとともに、中仕切体を固定するための中仕切体係止を有する係止金具と、
緑化用棚に載置固定し得るように形成した防水緑化容器と、
当該防水緑化容器内に収納できる格子状又は金網状の当該中仕切体と、
吊下体の下部に中仕切体係止部を有し且つ上部に係止金具固定部を有する中仕切体固定具と、
土壌又は土壌代替物、肥料、木炭、保水材、土壌改良材などの緑化基材と、
必要に応じて備える、前記中仕切体に草木の根元を固定し得る草木固定具との組合せから成り、
格子状又は金網状の基枠に複数の緑化用棚を多段状に係止し、当該緑化用棚の上に防水緑化容器を載置したうえ、これらを係止金具を用いて固定し、当該防水緑化容器内には、土壌又は土壌代替物や肥料、木炭、保水材、土壌改良材などの緑化基材を収納するが、当該緑化基材の中間部には中仕切体を埋め込み、当該緑化基材には草および／または木を載置するように植栽し、必要に応じて草木固定具により、草および／または木が中仕切体に固定されるようになし、基枠に添って縦方向に多段状に緑化し得るようにしたことを特徴とする壁面植栽緑化装置。
【考案の詳細な説明】
【０００１】
【産業上の利用分野】
本考案は、ビルや家屋等の壁面、塀の壁面、マンション屋上やベランダの柵、その他の構築物の壁面など上下方向の空間を草木の植栽によって多段状に緑化し、植物の温度の上昇を緩和する効果により、都市環境の改善をすることのできる壁面植栽緑化装置に関する。即ち、本考案に係る壁面植栽緑化装置は、コンクリート構築物の多い都市部を緑化して、植物のオアシス現象によりビルや壁面などコンクリート構築物やその周辺の温度上昇現象（ヒートアイランド現象）を緩和し、生活環境の改善せんとするものである。
【０００２】
【従来の技術】
従来より、環境保全のために道路や法面や岩壁やコンクリート擁壁を緑化する草植具や植生装置が、各方面で開発されている。しかし、植物の特性から、土壌と水が必要なため、その多くは平面方向に緑化するためのものであって、上下方向の空間を立体的に緑化するためのものは少なかった。
【０００３】
即ち、例えば、大規模のものとしては、法面や岩壁やコンクリート擁壁の表面に植生モルタルを吹き付けたり、植生基盤材を据付たり、アンカーを用いて取付けたりする方法が行われたり、擁壁を階段状に構築して緑化する方法（特開平８‐１４４２８８号）が提案されているが、この方法は施工に手間がかかり、経済的でないだけでなく、多量の植生基盤材や水分の確保が困難であり、植生できる草木の種類が限られている。
【０００４】
これに対し、上下方向の空間を立体的に緑化するための小規模な緑化が可能なものとしては、例えば、用地の有効利用を図り収穫量を増大させるための多段式植栽床（特開平５‐１６１４２９号）、道路の植樹帯や中央分離帯を緑化することにより騒音の防止と空気の浄化を図る階段遮音緑化方法（特開平５‐３２８８５５号）、狭い土地を有効的に使用でき、陸性植物と水性植物及び小生物を同時に育成、鑑賞できる（実開平６‐３４４３４号）等がある。
【０００５】
【考案が解決しようとする課題】
前記従来例における上下方向の空間を立体的に緑化するための装置や方法は、植物育成箱を階段状に積み重ねたり、取付けたり、植物が植生する基盤となる水平な土壌面を多段状に設けるものである。しかし、これら従来例の技術は、緑化可能な土壌などの緑化基材と水分を確保する構成物と上下方向に階段状に積み重ねる構造物とが一体となるように構築する大掛かりな構成になっており、いずれもそれ自体、独立した緑化構造物となっているものばかりである。従って、既存のビルや家屋等の壁面、塀の壁面、マンション屋上、ベランダの柵などを簡単に緑化改造するための装置ではない。これら既存のビルや家屋等の壁面、塀の壁面、マンション屋上、ベランダの柵などは、それ自体で構造物本来の機能を有しており、これに更に緑化機能を付加改造するとの発想はこれまでなかったので、後からこれらに緑化機能を付加することはほとんど考慮されていなかった。そこで、本考案は、簡単に取付けるだけで、既存のビルや家屋や塀等の壁面と柵と法面などの立体的な構造物の表面を緑化改造できるようにした壁面植栽緑化装置を提供せんとするものである。
【０００６】
【課題を解決するための手段】
実用新案登録を受けようとする第１考案は、格子状又は金網状の基枠に緑化用棚を多段状に配設し、前記緑化用棚の上には、防水緑化容器を載置固定し、当該防水緑化容器内には、土壌又は土壌代替物と、肥料、木炭、土壌改良材などの緑化基材を収納するとともに、当該防水緑化容器内に収納されている緑化基材の中間部には、格子状又は金網状の中仕切体を埋め込んでおき、当該緑化基材には、草および／または木を植栽して、基枠に添って縦方向に多段状に緑化するようにしたことを特徴とする壁面植栽緑化装置である。
【０００７】
当該第１考案は、壁面植栽緑化装置の基本考案であり、格子状又は金網状の基枠に緑化用棚を多段状に配設し、これに緑化基材を収納した防水緑化容器を載置固定し、基枠に添って縦方向に多段状に緑化したものである。従って、当該基枠を既存の壁面や塀や柵などに固定するだけで、簡単に壁面の縦方向への緑化が可能となるのである。本考案は、このように、既存の立体的壁面を簡単に緑化することができるので、特にビルの壁面緑化やコンクリート塀やモルタル塀などの緑化によるオアシス現象により、都市部のヒートアイランド現象を緩和することが出来る利点がある。また、本考案は、防水緑化容器内に中仕切体を設けたので、緑化基材の安定性と植栽した草木の根張りの向上と、風などに対する安定性を向上させることが出来る。
【０００８】
実用新案登録を受けようとする第２考案は、前記防水緑化容器内に収納されている緑化基材に植栽する草木は、その根部を中仕切体上に載置したうえ、必要に応じて当該中仕切体に係止された草木固定具により当該草木の根元を固定するようにしたことを特徴とする請求項１に記載する壁面植栽緑化装置である。
【０００９】
実用新案登録を受けようとする第３考案は、前記防水緑化容器を、容器自体に防水効果がある物を用いるか又は防水緑化容器を防水効果のないバスケット体とこれと対応する防水シート容器との組合せで構成し、バスケット体内に防水シート容器を積重ねるようにしたことを特徴とする請求項１に記載する壁面植栽緑化装置である。
【００１０】
実用新案登録を受けようとする第４考案は、　格子状又は金網状の基枠と、当該基枠に係止できるようにした複数個の緑化用棚と、前記緑化用棚を固定できるようにする緑化用棚係止部を有するとともに、中仕切体を固定するための中仕切体係止を有する係止金具と、緑化用棚に載置固定し得るように形成した防水緑化容器と、当該防水緑化容器内に収納できる格子状又は金網状の当該中仕切体と、吊下体の下部に中仕切体係止部を有し且つ上部に係止金具固定部を有する中仕切体固定具と、土壌又は土壌代替物、肥料、木炭、保水材、土壌改良材などの緑化基材と、必要に応じて備える、前記中仕切体に草木の根元を固定し得る草木固定具との組合せから成り、前記格子状又は金網状の基枠に複数の緑化用棚を多段状に係止し、当該緑化用棚の上に防水緑化容器を載置したうえ、これらを係止金具を用いて固定し、当該防水緑化容器内には、土壌又は土壌代替物や肥料、木炭、保水材、土壌改良材などの緑化基材を収納するが、当該緑化基材の中間部には中仕切体を埋め込み、当該緑化基材には草および／または木を載置するように植栽し、必要に応じて草木固定具により、草および／または木が中仕切体に固定されるようになし、基枠に添って縦方向に多段状に緑化し得るようにしたことを特徴とする壁面植栽緑化装置である。
【００１１】
第４考案は、壁面植栽緑化装置の構成部品一式を組み立て可能に形成し、当該構成部品一式をまとめて容易に運搬して、現場で簡単勝迅速に組み立て構築できるようにしたものである。このため取扱い易く、施工工事も簡単なので経費も安価となり、実用性の高い物である。しかも、必要性に応じて、植栽した草木の根元を中仕切体に固定したので、風によって吹き飛ばされたり、倒木したりすることがなく、安定した緑化が可能である。
【００１２】
【実施例】
以下本考案を実施例に基づいて詳細に説明する。
図１は、本考案に係る壁面植栽緑化装置をビルの壁面に装着し、草木を植栽して壁面緑化を果たした状態を示す斜視図であり、図２は、本考案に係る壁面植栽緑化装置一対をモルタル塀の表裏に背中合せに組み合わせることにより生垣状の塀に改造した状態を示す要部縦断側面図であり、図３は、本考案に係る壁面植栽緑化装置をマンションの柵に装着して、マンションのベランダを緑化改造した状態を示す斜視図である。また、図４は、本考案に係る壁面植栽緑化装置を組み立てた状態を示す斜視図であり、図５は、本考案に係る壁面植栽緑化装置の構成部品一式を示す斜視図である。更に、図６は、前記本考案に係る壁面植栽緑化装置の基枠に緑化用棚を固定し、当該固定された緑化用棚上に防水緑化容器を載置し、当該防水緑化容器内に中間部に中仕切体を装着するように組み合わせてなる壁面植栽緑化装置の要部を示す縦断側面図であり、図７は、図６に示す壁面植栽緑化装置に緑化基材を収納するとともに、草木を植栽した状態を示す要部縦断側面図である。
【００１３】
図４に示すように、本考案に係る壁面植栽緑化装置は、格子状又は金網状の基枠１に緑化用棚２，２，２を多段状に配設構成されている。図示実施例の緑化用棚２，２，２は、鉄骨等で適度な間隔で基枠１より先端部が斜め上方に突設形成された縦柵と当該縦柵を結ぶ横柵とによってＶ字状の棚が形成されているが、この棚の形状は、これに限られることなく、図６、図７に示すように防水緑化容器３，３，３を載置固定できればＵ字状であったり、図示してはいないが皿状であっても良いこと勿論である。当該緑化用棚２，２，２の上には、防水緑化容器３，３，３が載置固定されており、当該防水緑化容器３，３，３内には、土壌又は土壌代替物と、肥料、木炭、土壌改良材などの緑化基材４，４，４を収納するとともに、当該防水緑化容器３，３，３内に収納されている緑化基材４，４，４の中間部には、格子状又は金網状の中仕切体５，５，５が埋め込み配設されている。しかも、当該緑化基材４には、草木６，６，６を植栽して、図１、図２、図３に示すように、基枠１に添って縦方向に多段状に緑化するようにしたことを特徴とする壁面植栽緑化装置である。
【００１４】
尚、前記防水緑化容器３内に収納されている緑化基材４に植栽する草木６は、図２や図７に示すように、その根部を中仕切体５上に載置したうえ、必要に応じて当該中仕切体５に係止された草木固定具７により当該草木６の根元を固定するようにしても良い。
【００１５】
また、前記防水緑化容器３は、容器自体に防水効果がある材質を用いて形成しても良いし、当該防水緑化容器３を防水効果のない材質の袋状又はバスケット体３ａとこれと対応する防水シート容器３ｂとの組合せで構成し、バスケット体３ａ内に防水シート容器３ｂを重ね合わせるようにしても良いこと勿論である。
【００１６】
図５は、本考案に係る壁面植栽緑化装置の構成部品一式を示す斜視図である。当該壁面植栽緑化装置の構成部品は、いずれも組み立て可能に形成されたものであり、図５中１は、　金属製の棒状体で形成された格子状又は金網状の基枠であり、図中２は、前記基枠１に係止できるようにした緑化用棚である。図示実施例の緑化用棚２は、基枠１よりＵ字状に突設形成された縦柵と当該縦柵を結ぶ横柵とによってＵ字状の棚が形成されており、その基端部に基枠係止部２ａが形成されている。このような緑化用棚２が複数個用意されているのである。図中７は、前記緑化用棚２を固定する緑化用棚固定部７ａを有するとともに、中仕切体固定具９を固定するための中仕切体係止部７ｂを有する係止金具である。また、図中３は、緑化用棚２に載置固定し得るように形成した防水緑化容器である。当該防水緑化容器３は、防水効果のない材質で形成された袋状のバスケット体３ａと、これに対応する防水シート容器３ｂとからなり、当該バスケット体３ａ内に防水シート容器３ｂを重ね合わせて形成されている。更に、図中５は、格子状又は金網状の当該中仕切体である。当該中仕切体５は、前記防水緑化容器３内中間部に収納できるように構成されており、中仕切体固定具９により係止金具７に吊下げ固定されている。前記中仕切体固定具９は、吊下体９ｃの下部に中仕切体係止部９ａを有し、その上部に係止金具固定部９ｂを有するように構成されている。尚、図中１０は、草木の根元を固定する草木固定具であり、草木固定具８は、草木の根元を押さえる抑え体８ａとそれを当該中仕切体固定具９に装着固定するため係止部８ｂとからなり、当該係止部８ｂを中仕切体固定具９の吊下体９ｃに装着固定し得るように形成してある。
【００１７】
本考案は、上記の構成部品一式を用意して組み立てることにより、壁面植栽緑化装置を構成させる。本考案に係る壁面植栽緑化装置は、図６、図７に示すように格子状又は金網状の基枠１に緑化用棚２を多段状に配設するが、それは前記係止金具７で前記緑化用棚２を基枠１に装着固定する。そのうえで、当該固定された緑化用棚２上に防水緑化容器３を載置し、当該防水緑化容器８内には、緑化基材４と中仕切体５を収納する。当該防水緑化容器３内の構成を更に詳細に説明すると、防水緑化容器３内の中間部に中仕切体５を収納し、中仕切体固定具９により係止金具７に吊下げ固定する。当該内装した中仕切体５の下側には、木炭や保水材などの保水系緑化基材４ｂを主として収納し、当該中仕切体５の上側には、土壌又は土壌代替物と、肥料や土壌改良材などの土壌系緑化基材４ａを収納するようにする。更に、当該中仕切体５の上側に収納した土壌又は土壌代替物と肥料や土壌改良材などの土壌系緑化基材４ａには木や草花を植栽する。しかも、その植栽された草木６は、必要に応じて草木固定具９により、中仕切体５に固定されるようになす。このように、基枠に多壇状に装着した防水緑化容器３内に緑化基材４を収納し、これに草木を植栽することにより、基枠１に添って縦方向に多段状に緑化するように構成されているのである。
【００１８】
図５、図６、図７に示した実施例は、壁面植栽緑化装置の構成部品一式を組み立て可能に形成してある。従って、当該構成部品一式をまとめて容易に現場に運搬することができるし、その現場で当該構成部品一式を簡単且つ迅速に組み立て構築できることとなった。このため取扱い易く、施工工事が簡単なので経費も安価となり、実用性の高いものである。しかも、必要性に応じて、植栽した草木の根元を中仕切体に固定したので、風によって吹き飛ばされたり、倒木したりすることがなく、安定した緑化が可能である。
【００１９】
本考案に係る壁面植栽緑化装置は、図１に示すように本来緑化基材の存在しないビルや家屋等の壁面にその基枠を装着固定するだけで壁面の緑化を簡単に実現できることになる。また、図２に示すように、ブロック塀やコンクリート塀の側壁面に沿って本考案に係る壁面植栽緑化装置の基枠を固定するだけで、その壁面を簡単に緑化することが出来るし、その塀の表裏両側に壁面植栽緑化装置を装着すると、ブロック塀やコンクリート塀が生垣様に緑化することが出来る。更に、図３に示すように、マンションのベランダやビルの屋上に設けた柵に沿って壁面植栽緑化装置を装着すると、柵の緑化だけでなくベランダの緑化も容易となり、緑豊かな都市を造るだけでなく、ベランダのオアシス現象により、ヒートアイランド現象を緩和することが出来る。更にまた、図示しないが、格子状又は網状の基枠を壁面にそって上方に大きく延出形成して固着し、その下半部に緑化用棚と防水緑化容器を多段状に配設した壁面植栽緑化装置を設け、その防水緑化容器３内の緑化基材に蔦や藤のように枝が長く延びて基枠に絡みつきながら成長する植物を植栽し、上方の基枠に植物の枝が絡みつくようにして成長し、その結果として壁面全体が緑化できるような使い方も簡単に実現できる。このように、本考案に係る壁面植栽緑化装置は、既存の壁面や塀や柵などの多様な緑化を簡単に実現できるものである。
【００２０】
【効果】
本考案に係る壁面植栽緑化装置は、格子状又は金網状の基枠に緑化用棚を多段状に配設し、これに緑化基材を収納した防水緑化容器を載置固定し、基枠に添って縦方向に多段状に緑化したものである。従って、当該基枠を既存の壁面や塀や柵などに固定するだけで、簡単に縦方向の緑化が可能となる。しかも、本考案は、簡単に組み立て自在に構成することもでき、しかも防水緑化容器内に中仕切体を設けたので、緑化基材の安定性と植栽した草木の根張りの向上と、風などに対する安定性を向上させることが出来る。このように、本考案は、既存の立体的壁面空間を簡単に緑化することができるので、オアシス現象により都市部のヒートアイランド現象を緩和することが出来、生活環境を改善する効果がある。
【図面の簡単な説明】
【図１】本考案に係る壁面植栽緑化装置をビルの壁面に装着し、草木を植栽して壁面緑化を果たした状態を示す斜視図である。
【図２】本考案に係る壁面植栽緑化装置一対をモルタル塀の表裏に背中合せに組合わせることにより生垣状の塀に改造し状態を示す要部縦断側面図である。
【図３】本考案に係る壁面植栽緑化装置をマンションの柵に装着して、マンションのベランダを緑化改造した状態を示す斜視図である。
【図４】本考案に係る壁面植栽緑化装置を組み立てた状態を示す斜視図である。
【図５】本考案に係る壁面植栽緑化装置の構成部品一式を示す斜視図である。
【図６】前記本考案に係る壁面植栽緑化装置の基枠に緑化用棚を固定し、当該固定された緑化用棚上に防水緑化容器を載置し、当該防水緑化容器内に中間部に中仕切体を装着するように組み合わせてなる壁面植栽緑化装置の要部を示す縦断側面図である。
【図７】図６に示す壁面植栽緑化装置に緑化基材を収納するとともに、草木を植栽した状態を示す要部縦断側面図である。
【符号の説明】
１…基枠
２…緑化用棚
２ａ…基枠係止部
３…防水緑化容器
３ａ…バスケット体
３ｂ…防水シート容器
４…緑化基材
４ａ…土壌系緑化基材
４ｂ…保水系緑化基材
５…中仕切体
６…草木
７…係止金具
７ａ…緑化用棚係止部
７ｂ…中仕切体係止部
８…草木固定具
８ａ…抑え体
８ｂ…係止部
９…中仕切体固定具
９ａ…中仕切体係止部
９ｂ…係止金具固定部
９ｃ…吊下体
【図１】
0003096906.tif 000003
【図２】
0003096906.tif 000004
【図３】
0003096906.tif 000005
【図４】
0003096906.tif 000006
【図５】
0003096906.tif 000007
【図６】
0003096906.tif 000008
【図７】
0003096906.tif 000009